(57)【特許請求の範囲】
【請求項１】
ビルの外壁前面に対し多数枚のガラスパネルを所定の隙間を隔てて同一平面状に対設させるガラススクリーンの取付け装置であって、
ビルの外壁前面に対して上下方向に所定の間隔をおきかつ左右方向に前記ガラスパネルの幅に等しい間隔をおいて前方に突出した状態で固設された複数本の支持アームと、該ビルの外壁前面の上下方向に位置する前記各支持アームに亘って装設された縦フレームと、この縦フレーに対し直交する左右方向に張出し状に固設された取付け基板と、この取付け基板に装設され前記上下に隣接する両ガラスパネルの下縁部と上縁部とをそれぞれ嵌合支持する嵌合部を有する第１の支持部材とを備え、該第１の支持部材は、前記取付け基板に対し、上下に隣接する両ガラスパネルの下縁部と上縁部との間に形成される所定幅のスリット状間隔を維持しかつ左右に隣接する両ガラスパネルの側縁部間に形成される所定幅のスリット状間隔を維持する状態で配置されていることを特徴とするビルに対するガラススクリーンの取付け装置。
【請求項２】
請求項１記載のビルに対するガラススクリーンの取付け装置であって、
ビルの外壁の側端部に対応する位置の前記支持アームの上下部に装設されかつ前記上下方向に隣接する両側面ガラスパネルの下縁部と上縁部とをそれぞれ嵌合支持する嵌合部を有する第２の支持部材と、前記支持アームに装設された縦フレームに対し上下方向に沿って装設されかつ上下方向に隣接する複数の側面ガラスパネルの一方側縁部を嵌合支持する嵌合部を有する第３の支持部材とを備え、前記第２の支持部材は、上下方向に隣接する両側面ガラスパネルの下縁部と上縁部とが前記支持アームとそれぞれ所定幅のスリット状間隔を維持する状態に配置され、前記第３の支持部材は、側面ガラスパネルの他方側縁部と前記ビルの外壁面との間に所定幅のスリット状間隔を維持する状態に配置されていることを特徴とするビルに対するガラススクリーンの取付け装置。
【請求項３】
請求項１及び２記載のビルに対するガラススクリーンの取付け装置であって、
該ビルの外壁の上端部の左右方向に対応する位置の支持アームの両側に装設されかつ左右方向に隣接する両上面ガラスパネルの側端縁部をそれぞれ嵌合支持する嵌合部を有する第４の支持部材と、該支持アームの前後縁部の左右方向に沿って装設されかつ左右方向に隣接する複数の上面ガラスパネルの前後縁部をそれぞれ嵌合支持する嵌合部を有する第５の支持部材とを備え、前記ビルの外壁側の位置される第５の支持部材は、該ビルの外壁との間に所定幅のスリット状間隔を維持する状態に配置されていることを特徴とするビルに対するガラススクリーンの取付け装置。
【発明の詳細な説明】
【０００１】
【発明の属する技術分野】
本発明は、ビルの外壁の前面に装設されるガラススクリーン（外壁パネルともいう。）の取付け装置に関する。
【０００２】
【従来の技術】
一般に、この種の外壁パネルといわれるガラススクリーンは、ビルの外壁前面に対し、所定の隙間を隔てて該ガラススクリーンを構成する多数毎の各ガラスパネルを該外壁前面に設けた取付け金具によりそれぞれ同一平面上に位置するように配設されるものである。
上述のように施工されたガラススクリーンにあっては、ビルの外壁と同様に、すべての風荷重が作用するものであることを前提として設計施工されており、これに伴って、各ガラスパネル自体の強化が求められたり、該各ガラスパネルを取付け支持するための取付け手段の構造の大型化や複雑化を招来していた。
そして、上記ガラススクリーンに作用する風荷重にかかる問題を改善する対策が従来から種々講じられていおり、例えば、ビルの外壁前面とガラススクリーンとの間の隙間を風が自由に流通するように、ビルの外壁前面に対してガラススクリーン全体の上部端面側及び側部端面側を開放する施工や、ガラススクリーンを構成する各ガラスパネルどうしの接合端部の目地部材を排除して風が自由に流通するように隙間を形成する施工等が提案されていた。
【０００３】
【発明が解決しようとする課題】
しかしながら、上記した従来のそれぞれの施工にあっては、ガラススクリーンに作用する風圧力を、使用されるガラスパネル、例えば、強化合わせガラスの許容風圧以内に低減できるものの、該強化合わせガラスより耐圧力の低い材質或いは構造のガラスには対応することができなかった。換言すれば、上記した従来のそれぞれの施工の構造においては、前記風圧力を求めるに必要な風力係数自体（風圧力は、ビルの建物の高さ、形状により求められ、風力係数の設定により決定される。）を低減することができないものであった。
そこで、本発明は、上記した従来の問題点に鑑み、ビルの外壁前面とガラススクリーンとの間の隙間に生ずる気流と、外部からの風圧と内部の気圧のバランスをとることによって、風圧力を求めるに必要な風力係数自体を低減することができ、ガラススクリーンを、その自重とこれに作用する風圧力を必要最小限の構造で支持し得るとともに、必要強度を維持してより安全なガラススクリーンを得るビルに対するガラススクリーンの取付け装置を提供することを目的としたものである。
【０００４】
【課題を解決するための手段】
上記した課題を達成するために、本発明に係るビルに対するガラススクリーンの取付け装置は特許請求の範囲の各請求項に記載したとおりである。
すなわち、請求項１に記載の発明においては、ビルの外壁前面に対し多数枚のガラスパネルを所定の隙間を隔てて同一平面状に対設させるガラススクリーンの取付け装置であって、
ビルの外壁前面に対して上下方向に所定の間隔をおきかつ左右方向に前記ガラスパネルの幅に等しい間隔をおいて前方に突出した状態で固設された複数本の支持アームと、該ビルの外壁前面の上下方向に位置する前記各支持アームに亘って装設された縦フレームと、この縦フレーに対し直交する左右方向に張出し状に固設された取付け基板と、この取付け基板に装設され前記上下に隣接する両ガラスパネルの下縁部と上縁部とをそれぞれ嵌合支持する嵌合部を有する第１の支持部材とを備え、該第１の支持部材は、前記取付け基板に対し、上下に隣接する両ガラスパネルの下縁部と上縁部との間に形成される所定幅のスリット状間隔を維持しかつ左右に隣接する両ガラスパネルの側縁部間に形成される所定幅のスリット状間隔を維持する状態で配置されていることを要旨とするものであり、ガラススクリーンの前面を構成する各ガラスパネルをその自重とこれに作用する風圧力を必要最小限の構造で支持し得るとともに、その必要強度を維持してより安全に各ガラスパネルを支持し得るものである。これによって、ビルの外壁前面とガラススクリーンとの間の隙間に生ずる気流と、外部からの風圧と内部の気圧のバランスをとることができ、風圧力を求めるに必要な風力係数自体を低減する、すなわち、ガラススクリーンに作用する風圧力を低減することができる。
【０００５】
また、請求項２に記載の発明によれば、請求項１記載のビルに対するガラススクリーンの取付け装置であって、
ビルの外壁の側端部に対応する位置の前記支持アームの上下部に装設されかつ前記上下方向に隣接する両側面ガラスパネルの下縁部と上縁部とをそれぞれ嵌合支持する嵌合部を有する第２の支持部材と、前記支持アームに装設された縦フレームに対し上下方向に沿って装設されかつ上下方向に隣接する複数の側面ガラスパネルの一方側縁部を嵌合支持する嵌合部を有する第３の支持部材とを備え、前記第２の支持部材は、上下方向に隣接する両側面ガラスパネルの下縁部と上縁部とが前記支持アームとそれぞれ所定幅のスリット状間隔を維持する状態に配置され、前記第３の支持部材は、側面ガラスパネルの他方側縁部と前記ビルの外壁面との間に所定幅のスリット状間隔を維持する状態に配置されていることを要旨とするものであり、ガラススクリーンの前面に加え、ガラススクリーンの側部端面を構成する各ガラスパネルをその自重とこれに作用する風圧力を必要最小限の構造で支持し得るとともに、その必要強度を維持してより安全に各ガラスパネルを支持し得るものである。
【０００６】
さらに、請求項３に記載の発明によれば、請求項１及び２記載のビルに対するガラススクリーンの取付け装置であって、
該ビルの外壁の上端部の左右方向に対応する位置の支持アームの両側に装設されかつ左右方向に隣接する両上面ガラスパネルの側端縁部をそれぞれ嵌合支持する嵌合部を有する第４の支持部材と、該支持アームの前後縁部の左右方向に沿って装設されかつ左右方向に隣接する複数の上面ガラスパネルの前後縁部をそれぞれ嵌合支持する嵌合部を有する第５の支持部材とを備え、前記ビルの外壁側の位置される第５の支持部材は、該ビルの外壁との間に所定幅のスリット状間隔を維持する状態に配置されていることを要旨とするものであり、ガラススクリーンの前面及び側部端面に加え、上部端面を構成する各ガラスパネルをその自重とこれに作用する風圧力を必要最小限の構造で支持し得るとともに、その必要強度を維持してより安全に各ガラスパネルを支持し得るものである。
【０００７】
【発明の実施の形態】
以下、本発明の実施の形態を図にしたがって説明する。
さて、本実施の形態におけるガラススクリーン１全体は、ビル等の建物の外壁２の前面に対して該ガラススクリーン１を構成する多数枚のガラスパネル３〜３が後述する取付け装置を介して所定の隙間Ｓ１を隔てて同一平面状に対設するように組付けられている。
【０００８】
この取付け装置について以下説明すると、前記ビル等の建物の外壁２の前面に対して、断面ほぼI形状の所定の長さ（前述した隙間Ｓ１に相当する）に形成された多数個の支持アーム４〜４が該外壁の上下方向に所定の間隔をおいて一列状に水平方向（外壁２の前方向）にそれぞれ突設されている。そして、この一列状の支持アーム４〜４は、該外壁の左右方向に対して前記ガラスパネル３の左右方向の長さ（幅）と等しい間隔をおいてそれぞれ突設配置されるものである。
【０００９】
前記上下方向の一列状の支持アーム４〜４間の前面には、所定長さの平板状に形成された複数の縦フレーム５〜５が該縦フレーム５〜５に固着された第１のブラケット６〜６を介して上下方向に沿いかつ同一直線上に連続して組合わせて装設されている。なお、この同一直線上の縦フレーム５〜５どうしは、第２のブラケット７〜７により連結接合されている。しかして、複数の縦フレーム５〜５は左右方向において前記ガラスパネル３の幅寸法とほぼ等しい間隔で上下方向に配置されるものである。
【００１０】
そして、前記縦フレーム５の前面には、上下方向に沿って前記ガラスパネル３の上下方向の長さと等しい間隔をおいて、多数個の第１の支持部材８〜８が装設されている。すなわち、第１の支持部材８は、縦フレーム５に固設された第３のブラケット９と、該第３のブラケット９に対して左右方向の水平状（張出し状）に固設されたアングル状の取付け基板１０と、この取付け基板１０の左右のほぼ両端部に組付けられ上下部位に断面ほぼ上向きのコ字状（下部位はほぼ下向きのコ字状）の嵌合部１１ａ、１１ｂが形成された受承部材１１、１１とから構成されており、前記各列の縦フレーム５の前面の上下方向に対し、前記ガラスパネル３の上下方向の長さと等しい間隔をおいてそれぞれ配置されている。しかして、第１の支持部材８は、各縦フレーム５に対し前記ガラスパネル３のほぼ四隅部にそれぞれ位置するように配置されるものである。
【００１１】
そして、前記ビル等の建物の外壁２の両側端部に対応位置する前記支持アーム４の上下部には第２の支持部材１２が装設されている。すなわち、第２の支持部材１２は、該支持アーム４の上部に固設されて断面ほぼ上向きのコ字状の嵌合部１３ａが形成された受承部材１３と、同じく支持アーム４の下部に固設されて断面ほぼ下向きのコ字状の嵌合部１３ｂが形成された受承部材１３とから構成されている。
【００１２】
また、前記ビル等の建物の外壁２の両側端部に対応位置する縦フレーム５の後面には、前記上下に対応する支持アーム４間において、第３の支持部材１４が装設されている。すなわち、第３の支持部材１４は、縦フレーム５に対して第４のブラケット１５を介して固設されて断面ほぼコ字状の嵌合部１６ａが形成された長尺の受承部材１６から構成されている。
【００１３】
前記ビル等の建物の外壁２の左右方向に対応位置する支持アーム４上には、第４の支持部材１７が装設されている。すなわち、第４の支持部材１７は、支持アーム４の上部に第５のブラケット１８を介して固設されて左右部位に断面ほぼ左向きのコ字状（右部位に断面ほぼ右向きのコ字状）の嵌合部１９ａ、１９ｂが形成された受承部材１９から構成されている。
【００１４】
また、前記ビル等の建物の外壁２の左右方向に対応位置する両支持アーム４の上部の前後部位には、該両支持アーム４間に亘って第５の支持部材２０が装設されている。すなわち、第５の支持部材２０は、両支持アーム４の前後方向に沿って第６のブラケット２１を介してそれぞれ固設された取付け基板２２と、この取付け基板２２間に亘りその前後部位に固設されて前後部位に断面ほぼ後向きのコ字状（後部位に断面ほぼ前向きのコ字状）の嵌合部２３ａ、２３ｂが形成された受承部材２３から構成されている。
【００１５】
上述のように構成された取付け装置に各ガラスパネル３〜３を取付け支持してガラススクリーン１を組付け施工する方法について説明する。
さて、ビル等の建物の外壁２前面に対して複数の縦フレーム５〜５が左右方向において取付けるべきガラスパネル３の幅寸法とほぼ等しい間隔で上下方向に配置され、この各縦フレーム５に対して各第１の支持部材８が前記ガラスパネル３のほぼ四隅部にそれぞれ位置するように配置されているので、この四個の第１の支持部材８で形成される空所に一枚目のガラスパネル３を位置させる。
【００１６】
そして、前記下方の両第１の支持部材８、８における一方側の受承部材１１、１１の上向きコ字状の嵌合部１１ａ、１１ａによりそれぞれ前記ガラスパネル３の下縁部のほぼ両側部を嵌合支持し、前記上方の両第１の支持部材８、８における一方側の受承部材１１、１１の下向きコ字状の嵌合部１１ｂ、１１ｂによりそれぞれ前記ガラスパネル３の上縁部のほぼ両側部を嵌合支持して該一枚目のガラスパネル３を固止するものである。
【００１７】
ついで、この一枚目のガラスパネル３の上方に位置される二枚目のガラスパネル３にあっては、前記と同様に、前記上方の両第１の支持部材８、８における一方側の受承部材１１、１１の上向きコ字状の嵌合部１１ａ、１１ａによりそれぞれ二枚目のガラスパネル３の下縁部のほぼ両側部が嵌合支持され、さらに上部に位置された次の上方の両第１の支持部材８、８における一方側の受承部材１１、１１の下向きコ字状の嵌合部１１ｂ、１１ｂによりそれぞれ前記ガラスパネル３の上縁部のほぼ両側部を嵌合支持して該二枚目のガラスパネル３を固止するものである。
【００１８】
この場合、一枚目のガラスパネル３の上縁部と二枚目のガラスパネル３の下縁部との間には所定幅のスリット状間隔Ｓ２を形成して配設するものである。
【００１９】
さらに、前記一枚目のガラスパネル３の下方に位置される三枚目のガラスパネル３にあっては、前記と同様に、前記一枚目のガラスパネル３における下方の両第１の支持部材８、８における一方側の受承部材１１、１１の下向きコ字状の嵌合部１１ｂ、１１ｂによりそれぞれ三枚目のガラスパネル３の上縁部のほぼ両側部が嵌合支持され、さらに下部に位置された次の下方の両第１の支持部材８、８における一方側の受承部材１１、１１の上向きコ字状の嵌合部１１ａ、１１ａによりそれぞれ前記ガラスパネル３の上縁部のほぼ両側部を嵌合支持して該三枚目のガラスパネル３を固止するものである。
【００２０】
この場合も前述と同様に、一枚目のガラスパネル３の下縁部と三枚目のガラスパネル３の上縁部との間には所定幅のスリット状間隔Ｓ２を形成して配設するものである。
【００２１】
上述のようにして、一列目の上下方向に各ガラスパネル３〜３をそれぞれ所定幅のスリット状間隔Ｓ２を形成して縦フレーム５に対して同一平面上に配置固止して施工するもので、これと同様にしてその左右方向の二列目、三列目としてそれぞれ縦フレーム５に対して同一平面上に配置固止して施工するものである。
【００２２】
この場合、左右方向に位置された各ガラスパネル３〜３の側縁（左、右側縁）間には、前述と同様に所定幅のスリット状間隔Ｓ３を形成して配設するものである。
【００２３】
このようにして、ビル等の建物の外壁２前面に対して各ガラスパネル３〜３どうしの端縁（上下及び左右端縁）にスリット状間隔Ｓ２、Ｓ３が形成されたガラススクリーン１を該外壁２前面と所定の隙間を隔てた同一平面状に組付け施工するものである。
【００２４】
つぎに、ガラススクリーン１の側部端面側においては、両側端部に対応位置する縦フレーム５の後面に装設された第３の支持部材１４における長尺の受承部材１６のコ字状の嵌合部１６ａにより該側部端面側の開放部位に配置した所定長さ（前記ガラスパネル３の数枚分）の側面ガラスパネル３ａの前端縁を嵌合支持し、該側面ガラスパネル３ａの上下の端縁を前記外壁２の両側端部に対応位置する支持アーム４の上下部に装設された第２の支持部材１２における受承部材１３、１３の上向きのコ字状の嵌合部１３ａと、下向きのコ字状の嵌合部１３ｂにより嵌合支持し、これを上下方向に順次組付けて、該各側面ガラスパネル３ａ、３ａ全体を、そのガラススクリーン１の側部端面側を閉塞した状態で固止するものである。なお、図７に示した状態では、第２の支持部材１２で支持された上下方向に隣接する両側面ガラスパネル３ａ、３ａの下縁部と上縁部とが前記支持アーム４との間にそれぞれ所定幅のスリット状間隔が形成され、また、第３の支持部材１４で支持された各側面ガラスパネル３ａの他方側縁部（後側側縁部）と前記ビルの外壁２面との間及び一方側縁部（前側側縁部）と縦フレーム５との間にそれぞれ所定幅のスリット状間隔が形成されるものである。
【００２５】
さらに、ガラススクリーン１の上部端面側においては、支持アーム４の上部に装設された第４の支持部材１７における左向きと右向きのコ字状の嵌合部１９ａ、１９ｂの受承部材１９、１９により該上端面側の開放部位に配置した各上面ガラスパネル３ｂ、３ｂの両側端縁を嵌合支持し、該各上面ガラスパネル３ｂ、３ｂの前後端縁を外壁２の左右方向に対応位置する両支持アーム４の上部の前後部位に装設した第５の支持部材２０における受承部材２３の後向きのコ字状及び前向きのコ字状の嵌合部２３ａ、２３ｂにより嵌合支持し、これを左右方向に順次組付けて、該各上面ガラスパネル３ｂ、３ｂ全体を、そのガラススクリーン１の上端面側を閉塞した状態で固止するものである。なお、図１０に示した状態では、隣接する上面ガラスパネル３ｂ、３ｂのそれぞれの側端縁の間に所定幅のスリット状間隔が形成されるとともに、第５の支持部材２０と該ビルの外壁との間に所定幅のスリット状間隔が形成されるものである。
【００２６】
このようにして、ビル等の建物の外壁２の前面に対して該外壁前面との間に所定の隙間Ｓ１を隔てて多数枚のガラスパネル３〜３を同一平面状に対設したガラススクリーン１全体を、側面ガラスパネル３ａ及び上面ガラスパネル３ｂによりその上部端面側及び側部端面側の開放部位を閉塞するとともに、前面に位置する各ガラスパネル３〜３をその隣り合う各ガラスパネル３、３どうし間に所定幅のスリット状間隔Ｓ２、Ｓ３を設けて配設支持して組付け施工するものである。
【００２７】
【発明の効果】
請求項１の発明においては、ガラススクリーンの前面を構成する各ガラスパネルをその自重とこれに作用する風圧力を必要最小限の構造で支持し得るとともに、その必要強度を維持してより安全に各ガラスパネルを支持し得るものである。これによって、ビルの外壁前面とガラススクリーンとの間の隙間に生ずる気流と、外部からの風圧と内部の気圧のバランスをとることができ、風圧力を求めるに必要な風力係数自体を低減する、すなわち、ガラススクリーンに作用する風圧力を低減することができる。
このことは、強化合わせガラスより耐圧力の低い材質或いは構造のガラス、例えば、フロート合わせガラス等の使用を可能にすることができる。
【００２８】
請求項２の発明においては、ガラススクリーンの前面に加え、ガラススクリーンの側部端面を構成する各ガラスパネルをその自重とこれに作用する風圧力を必要最小限の構造で支持し得るとともに、その必要強度を維持してより安全に各ガラスパネルを支持することができる。
【００２９】
請求項３に記載の発明においては、ガラススクリーンの前面及び側部端面に加え、上部端面を構成する各ガラスパネルをその自重とこれに作用する風圧力を必要最小限の構造で支持し得るとともに、その必要強度を維持してより安全に各ガラスパネルを支持することができる。
【図面の簡単な説明】
【図１】  ガラススクリーンの全体を略示する正面図である。
【図２】  要部を略示する一部破断の正面図である。
【図３】  同じく、一部破断の平面図である。
【図４】  取付け装置における第１の支持部材を示す一部断面を含む側面図である。
【図５】  おなじく、一部断面を含む平面図である。
【図６】  おなじく、一部断面を含む正面図である。
【図７】  ガラススクリーンの側部端面側を閉塞した状態の側面図である。
【図８】  図７のＡ−Ａ線断面図である。
【図９】  図７のＢ−Ｂ線断面図である。
【図１０】  ガラススクリーンの上端面側を閉塞した状態の平面図である。
【図１１】  図１０のＣ−Ｃ線断面図である。
【図１２】  図１０のＤ−Ｄ線断面図である。
【符号の説明】
１  ガラススクリーン
２  外壁
３  ガラスパネル
３ａ  側面ガラスパネル
３ｂ  上面ガラスパネル
４  支持アーム
５  縦フレーム
８  第１の支持部材
１２  第２の支持部材
１４  第３の支持部材
１７  第４の支持部材
２０  第５の支持部材
Ｓ１  隙間
Ｓ２  スリット状間隔
Ｓ３  スリット状間隔
【図１】
0004338875.tif 000002
【図２】
0004338875.tif 000003
【図３】
0004338875.tif 000004
【図４】
0004338875.tif 000005
【図５】
0004338875.tif 000006
【図６】
0004338875.tif 000007
【図７】
0004338875.tif 000008
【図８】
0004338875.tif 000009
【図９】
0004338875.tif 000010
【図１０】
0004338875.tif 000011
【図１１】
0004338875.tif 000012
【図１２】
0004338875.tif 000013